(57)【要約】【課題】緊急事態の発生をより確実に連絡する。【解決手段】緊急連絡装置１０は、緊急事態の発生を検出する緊急事態検出手段２０と、緊急事態検出手段により緊急事態の発生が検出された場合に、予め登録された複数の連絡先通信端末に自動的に通信を試行し、複数の連絡先通信端末との通信が確立されるまで自動的な通信の試行を継続する通信手段３０と、を備える。【選択図】図１
2008245110.tif 000002
【特許請求の範囲】
【請求項１】
緊急事態の発生を検出する緊急事態検出手段と、
前記緊急事態検出手段により緊急事態の発生が検出された場合に、予め登録された複数の連絡先通信端末に自動的に通信を試行し、複数の連絡先通信端末との通信が確立されるまで自動的な通信の試行を継続する通信手段と、
を備えることを特徴とする緊急連絡装置。
【請求項２】
前記緊急事態検出手段は、緊急事態としてドライバーの飲酒状態を検出するものであることを特徴とする請求項１に記載の緊急連絡装置。
【発明の詳細な説明】
【技術分野】
【０００１】
本発明は、緊急事態の発生を連絡する緊急連絡装置に関する。
【背景技術】
【０００２】
従来文献（特許文献１）には、緊急事態に対処可能な携帯電話端末装置が示されている。この携帯電話端末装置では、予め設定されている緊急連絡先の電話番号を読み出し、その電話番号に発信する。また、この携帯電話端末装置では、複数の緊急連絡先を優先順位と共に登録しておき、優先順位の最も高い緊急連絡先に接続できなかった場合に、次の優先順位の緊急連絡先に発信する。
【特許文献１】特開２００６−７４２７５号公報
【発明の開示】
【発明が解決しようとする課題】
【０００３】
しかしながら、上記従来文献の携帯電話端末装置では、いずれか一つの緊急連絡先に連絡すると、それ以外の緊急連絡先には連絡しない。よって、いずれか一つの緊急連絡先にのみ連絡された場合には、連絡を受けた者に緊急事態が理解されなかったり、連絡を受けた者が緊急事態に適切に対処しなかったりする可能性がある、という問題がある。
【０００４】
本発明は、上記の課題を解決するためになされたもので、緊急事態の発生をより確実に連絡することが可能な緊急連絡装置を提供することを目的とする。
【課題を解決するための手段】
【０００５】
上述した目的を達成するために、本発明に係る緊急連絡装置は、緊急事態の発生を検出する緊急事態検出手段と、緊急事態検出手段により緊急事態の発生が検出された場合に、予め登録された複数の連絡先通信端末に自動的に通信を試行し、複数の連絡先通信端末との通信が確立されるまで自動的な通信の試行を継続する通信手段と、を備えることを特徴とする。
【０００６】
上述した緊急連絡装置によれば、緊急事態検出手段により緊急事態の発生が検出された場合に、通信手段は複数の連絡先通信端末との通信が確立されるまで自動的な通信の試行を継続するため、緊急事態の発生を確実に複数の連絡先通信端末の所有者に知らせることができる。よって、緊急事態の発生を知らされた連絡先通信端末の所有者の一人が緊急事態を理解しなかったり、緊急事態に適切に対処しなかった場合でも、緊急事態の発生を知らされた他の連絡先通信端末の所有者が緊急事態を理解して適切に対処することができる。
【０００７】
また、上述した緊急連絡装置において、緊急事態検出手段は、緊急事態としてドライバーの飲酒状態を検出するものであることが好ましい。この構成によれば、緊急事態検出手段によりドライバーの飲酒状態が検出された場合に、通信手段は複数の連絡先通信端末との通信が確立されるまで自動的な通信の試行を継続するため、ドライバーの飲酒状態を確実に複数の連絡先通信端末の所有者に知らせることができる。よって、ドライバーの飲酒状態を知らされた連絡先通信端末の所有者の一人がドライバーの飲酒状態を理解しなかったり、ドライバーの飲酒状態に適切に対処しなかった場合でも、ドライバーの飲酒状態の発生を知らされた他の連絡先通信端末の所有者がドライバーの飲酒状態を理解して適切に対処することができる。
【発明の効果】
【０００８】
本発明によれば、緊急事態の発生をより確実に連絡することが可能な緊急連絡装置を提供することができる。
【発明を実施するための最良の形態】
【０００９】
以下、添付図面を参照して、本発明の好適な実施形態について詳細に説明する。なお、説明において、同一要素又は同一機能を有する要素には、同一符号を用いることとし、重複する説明は省略する。
【００１０】
図１には、本実施形態に係る通信システム１が概略的に示されている。通信システム１は、緊急連絡装置１０が搭載された車両３を含んでいる。緊急連絡装置１０は、基地局５１，５２，５３および公衆電話回線網５０を介して他の携帯電話端末６１，６２，６３等と通信可能である。
【００１１】
図２には、車両３に搭載された緊急連絡装置１０の構成が示されている。緊急連絡装置１０は、飲酒検査装置２０および携帯電話端末３０を含んで構成されている。飲酒検査装置２０は車両に備え付けられている。一方、飲酒検査装置２０から延びる接続端子には、携帯電話端末３０が接続されている。
【００１２】
なお、飲酒検査装置２０が、特許請求の範囲に記載される緊急事態検出手段に相当する。また、携帯電話端末３０が、特許請求の範囲に記載される通信手段に相当する。また、他の携帯電話端末６１，６２，６３が、特許請求の範囲に記載される連絡先通信端末に相当する。
【００１３】
飲酒検査装置２０は、緊急事態としてドライバーの飲酒状態を検出するものであり、アルコール検知部２２と、自動通話開始部２４と、警報部２６とを備えている。
【００１４】
アルコール検知部２２は、ドライバーの呼気中アルコール濃度を計測してドライバーが飲酒状態にあるか否かを判定する。アルコール検知部２２は、ドライバーが飲酒状態にある場合には、ドライバーの飲酒状態情報を自動通話開始部２４および警報部２６に出力する。
【００１５】
自動通話開始部２４は、ドライバーの飲酒状態情報を取り込むと、ドライバーの飲酒状態を家族や友人などに知らせるために、家族や友人などの携帯電話端末６１，６２，６３への通話を促す自動通話開始指令Ｓ１を携帯電話端末３０に出力する。
【００１６】
警報部２６は、ドライバーの飲酒状態情報を取り込むと、ドライバーの飲酒運転を妨げるために警報を発する。
【００１７】
携帯電話端末３０は、一般的に利用されている携帯電話端末であり、カメラ３２と、通信処理部３４と、電話帳記憶部３６とを備えている。
【００１８】
カメラ３２は、ＣＣＤイメージセンサ（Charge Coupled Device Image Sensor）を有しており、カメラ３２の周囲の画像を連続的に撮影可能である。携帯電話端末３０が飲酒検査装置２０から延びる接続端子に接続された際には、ＣＣＤイメージセンサはドライバーに向けられた状態となり、カメラ３２はドライバーの顔等を撮影して、動画像データを生成する。
【００１９】
通信処理部３４は、遠隔地の携帯電話端末６１，６２，６３に発呼し、携帯電話端末６１，６２，６３が通信可能な状態にある場合に、これらの携帯電話端末６１，６２，６３との間で通信を確立する。携帯電話端末６１，６２，６３との間で通信を確立された際には、通信処理部３４は、ドライバーの音声データを送信可能であると共に、連絡先からの音声データを受信可能である。また、通信処理部３４は、カメラ３２により撮影された画像データを送信可能である。なお、通信処理部３４の処理は、専用回路により実現されてもよいし、ソフトウェアを実行することにより実現されてもよい。
【００２０】
電話帳記憶部３６には、ドライバーの家族、友人、知人等の電話番号が格納されている。特に、電話帳記憶部３６には、飲酒時連絡先リストとしてドライバーの飲酒状態を知らせるべき複数の者の電話番号が予め登録されている。飲酒時連絡先リストには、例えば、ドライバーの家族や友人などが登録されている。飲酒時連絡先リストに登録された各電話番号には、ドライバーの飲酒状態を連絡すべき順序に応じて優先順位が付けられている。
【００２１】
カメラ３２は、飲酒検査装置２０からの自動通話開始指令Ｓ１を取り込むと、ドライバーの顔の撮影を開始する。また、通信処理部３４は、飲酒検査装置２０からの自動通話開始指令Ｓ１を受信すると、飲酒時連絡先リストの電話番号の各々に発呼し、携帯電話端末６１，６２，６３の各々との通信を確立する。そして、通信処理部３４は、カメラ３２により撮影されたドライバーの動画像データを携帯電話端末６１，６２，６３に送信すると共に、ドライバーの音声データを携帯電話端末６１，６２，６３に送信する。
【００２２】
なお、本実施形態では、緊急連絡装置１０の通信手段として携帯電話端末３０が利用されている。このため、緊急連絡装置１０に専用の通信手段を設ける必要がなく、緊急連絡装置１０のコストダウンが寄与している。
【００２３】
次に、上述した通信システム１における緊急連絡装置１０の処理について説明する。図３には、緊急連絡装置１０の処理のフローチャートが示されている。
【００２４】
ドライバーが車両に乗車した際に、緊急連絡装置１０は、アルコール検知部２２を用いて、ドライバーの呼気中アルコール濃度を計測し、ドライバーが飲酒状態にあるか否かを判定する（Ｓ３０１，Ｓ３０２）。ここで、ドライバーの飲酒状態が判定された場合には、緊急連絡装置１０はステップ３０３の処理に進む。一方、ドライバーの飲酒状態が判定されない場合には、緊急連絡装置１０は処理を終了する。
【００２５】
ステップ３０３では、緊急連絡装置１０において飲酒検査装置２０から携帯電話端末３０に自動通話開始指令Ｓ１が出力される。そして、緊急連絡装置１０は、カメラ３２を用いてドライバーの顔の撮影を開始する。また、緊急連絡装置１０は、警報部２６を用いて警報を開始して、ドライバーの飲酒状態に対して警告する（Ｓ３０４）。
【００２６】
次に、緊急連絡装置１０は、電話帳記憶部３６から飲酒時連絡先リストの電話番号を全て読み出して、通信処理部３４を用いて優先順位が高い電話番号から順に自動的に発呼し、その電話番号に対応する連絡先携帯電話端末６１，６２，６３との通信を試行する（Ｓ３０５，Ｓ３０６）。ここで、緊急連絡装置１０は、飲酒時連絡先リストの電話番号を発呼する際に、ドライバーの飲酒状態に対応して飲酒検知信号を電話番号の前に付加する。そして、緊急連絡装置１０は、予め設定された設定値（２以上の整数）以上の連絡先携帯電話端末６１，６２，６３との通信を確立できるまで、優先順位が高い電話番号から順に自動的に発呼を繰り返す（Ｓ３０７）。
【００２７】
より詳しく説明すると、先ず、緊急連絡装置１０は、優先順位が最も高い電話番号に発呼し、その電話番号に対応する連絡先携帯電話端末６１，６２，６３との通信を試行する。ここで、緊急連絡装置１０は、その連絡先携帯電話端末６１，６２，６３との通信を確立できた場合には、連絡先との通話状態に移行すると共に、ドライバーの顔の動画像データを送信する。また、緊急連絡装置１０（通信処理部３４）は、通信済み端末数ｎをインクリメントする。
【００２８】
一方、緊急連絡装置１０は、優先順位の最も高い連絡先携帯電話端末６１，６２，６３との通信の試行を開始してから一定時間が経過してもその連絡先携帯電話端末６１，６２，６３との通信を確立できない場合には、２番目に優先順位が高い電話番号に発呼し、その電話番号に対応する連絡先携帯電話端末６１，６２，６３との通信を試行する。ここで、緊急連絡装置１０は、その連絡先携帯電話端末６１，６２，６３との通信を確立できた場合には、連絡先との通話状態に移行すると共に、ドライバーの顔の動画像データを送信する。また、緊急連絡装置１０（通信処理部３４）は、通信済み端末数ｎをインクリメントする。
【００２９】
その後も同様に、緊急連絡装置１０は、優先順位が高い順に連絡先携帯電話端末６１，６２，６３との通信の試行し、その連絡先携帯電話端末６１，６２，６３との通信を確立できた場合には、通信済み端末数ｎをインクリメントする。そして、緊急連絡装置１０は、通信済み端末数ｎが上記設定値を下回る場合には、次に優先順位が高い連絡先携帯電話端末６１，６２，６３との通信の試行する（Ｓ３０６，Ｓ３０７）。一方、緊急連絡装置１０は、通信済み端末数ｎが設定値以上となった場合には、ステップ３０８の処理に進む。
【００３０】
ステップ３０８では、緊急連絡装置１０は、予め設定された設定値以上の連絡先携帯電話端末６１，６２，６３との通信を確立できたため、警報を停止する。予め設定された設定値以上の連絡先携帯電話端末６１，６２，６３との通信を確立できるまで、緊急連絡装置１０は警報を発し続けるため、ドライバーにとって自動車を運転し難くすることができ、ドライバーの飲酒運転を抑止することができる。
【００３１】
本実施形態の緊急連絡装置１０の処理によれば、飲酒検査装置２０によりドライバーの飲酒状態が検出された場合に、携帯電話端末３０は複数の連絡先携帯電話端末６１，６２，６３との通信が確立するまで自動的な通信の試行を継続するため、ドライバーの飲酒状態を確実に複数の家族、友人等に知らせることができる。よって、家族、友人等のうちいずれか一人がドライバーに対して飲酒状態を止めるように注意、警告等しなくても、家族、友人等のうち他の者がドライバーに対して飲酒状態を止めるように注意、警告等することができる。
【００３２】
また、本実施形態の緊急連絡装置１０の処理によれば、複数の連絡先携帯電話端末６１，６２，６３との通信が確立するまで自動的な通信の試行を継続するため、携帯電話通信に利用される中継装置（基地局５１，５２，５３やそれらに接続される装置）のいずれか１つが故障して一つの連絡先携帯電話端末６１，６２，６３との通信を確立できない場合でも、正常に動作する中継装置を利用して他の連絡先携帯電話端末６１，６２，６３との通信を確立することができる。
【００３３】
なお、本実施形態では、緊急連絡装置１０は、飲酒時連絡先リストのうち設定値以上の連絡先携帯電話端末６１，６２，６３との通信が確立するまで自動的な通信の試行を繰り返したが、他の実施形態では、緊急連絡装置１０は、飲酒時連絡先リストのうち全ての連絡先携帯電話端末６１，６２，６３との通信が確立するまで自動的な通信の試行を繰り返してもよい。
【００３４】
次に、上記の緊急連絡装置１０の処理に応じた連絡先携帯電話端末６１，６２，６３の処理について説明する。図４には、連絡先携帯電話端末６１，６２，６３の処理のフローチャートが示されている。
【００３５】
連絡先携帯電話端末６１，６２，６３は、所有者が通話をしていない時に通常は待ち受け状態にあるが、他の電話端末からの発呼を確認すると待ち受け状態を終了し、中継基地局を介して到来する信号中に飲酒検知信号が含まれているか否かを判定する（Ｓ４０１，Ｓ４０２，Ｓ４０３）。ここで、飲酒検知信号が含まれている場合には、連絡先携帯電話端末６１，６２，６３はステップ４０４の処理に進む。一方、飲酒検知信号が含まれていない場合には、連絡先携帯電話端末６１，６２，６３はステップ４０６の処理に進む。
【００３６】
ステップ４０４において、連絡先携帯電話端末６１，６２，６３は、通話拒否モード（通話の保留、留守番電話、電源オフなど）に設定されている場合には、飲酒検知信号に応じて通話拒否モードを強制的に解除して通話可能モードに自動的に移行する。そして、連絡先携帯電話端末６１，６２，６３は、ドライバーの携帯電話との間で通信を確立して、ドライバーの顔の動画像をディスプレイに表示すると共に、ドライバーとの通話状態に移行する（Ｓ４０５，Ｓ４０６）。
【００３７】
上記処理により、連絡先携帯電話端末６１，６２，６３の所有者とドライバーの通話が可能になり、連絡先携帯電話端末６１，６２，６３の所有者はドライバーに飲酒運転を注意し警告することができる。また、連絡先携帯電話端末６１，６２，６３の所有者は、ディスプレイに表示されたドライバーの顔を確認して、ドライバーの飲酒状態を視覚的に確認することができる。
【００３８】
なお、ステップ４０３で飲酒検知信号が含まれていないと判定された場合には、連絡先携帯電話端末６１，６２，６３は、ドライバーの携帯電話との間で通信を確立して、ドライバーとの通話状態に移行する（Ｓ４０６）。
【００３９】
なお、上述した実施形態では、緊急連絡装置１０は、優先順位の高い順に連絡先携帯電話端末６１，６２，６３に発呼したが、他の実施形態では、緊急連絡装置１０が同時に複数の連絡先携帯電話端末６１，６２，６３と通信可能である場合には、緊急連絡装置１０は飲酒時連絡先リストの全ての連絡先携帯電話端末６１，６２，６３を同時に発呼してもよい。
【００４０】
なお、上述した実施形態では、緊急連絡装置１０は、緊急事態としてドライバーの飲酒状態を検出して連絡したが、他の実施形態では、緊急連絡装置１０は、他の種類の緊急事態（例えば、交通事故の発生、犯罪の発生等）を検出して連絡してもよい。
【００４１】
なお、上述した実施形態では、緊急連絡装置１０は、通信手段として携帯電話装置を利用したが、他の実施形態では、緊急連絡装置１０は、他の種類の通信手段（例えば、車載無線機、インターネット等）を利用してもよい。
【図面の簡単な説明】
【００４２】
【図１】緊急連絡装置を含む通信システムを示す概略構成図である。
【図２】緊急連絡装置を示すブロック図である。
【図３】緊急連絡装置の処理のフローチャートである。
【図４】連絡先携帯電話端末の処理のフローチャートである。
【符号の説明】
【００４３】
１…通信システム、１０…緊急連絡装置、２０…飲酒検査装置、２２…アルコール検知部、２４…自動通話開始部、２６…警報部、３０…携帯電話端末、３２…カメラ、３４…通信処理部、３６…電話帳記憶部。
【図１】
2008245110.tif 000003
【図２】
2008245110.tif 000004
【図３】
2008245110.tif 000005
【図４】
2008245110.tif 000006